(57)【特許請求の範囲】
【請求項１】
軌道敷へ着脱自在に固定され植栽水平面を形成する軌道敷植生基盤と、
前記軌道敷植生基盤に設けられた給水溝に装着され給水溝の水位の変化を検知して自動的に補水する自動補水器と、
給水パイプを介して複数の自動補水器と接続された貯水タンクと、
貯水タンクの水位を検知して補水する自動補給弁に接続された水道パイプと、
前記軌道敷植生基盤上に載置された保水性を有する不織布からなる栽培マットとを備え、前記軌道敷植生基盤が前記軌道敷上で複数連結されて配置され、植栽物が前記栽培マットに栽培されることを特徴とする軌道敷緑化装置。
【請求項２】
前記軌道敷植生基盤は、絶縁性材料で線路幅内に載置可能な寸法に形成された直方体の栽培パレットと、該栽培パレットの側端に着脱自在に嵌合され栽培パレットの側面に立設された遮蔽壁とから構成され、
該栽培パレットは、前後左右の側面に該栽培パレット同士の連結又は／及び遮蔽壁との連結を行なう連結突起を備え、上面には、前記栽培マットを折曲げ挿入可能な幅と深さを有する複数の給水溝と、複数の給水溝と直交する２本の補水溝と、一方の補水溝の中央に設けた自動補水器収納部を備え、
前記遮蔽壁は、上部が栽培パレット側となる内側に湾曲した壁面部と、該壁面部の下部に設けられ栽培パレットの連結突起と嵌合させる連結突起及び連結凹部と、該壁面部の内側に設けた給水パイプ保持部と、壁面部の長手方向端部に設け隣合う遮蔽壁を連結する凹凸部と、を備えることを特徴とする請求項１記載の軌道敷緑化装置。
【請求項３】
前記軌道敷植生基盤は、前記栽培パレット前後の連結突起を嵌合して、線路長手方向に連結して延長可能となっていると共に、栽培パレットの左右の連結突起及びそれに嵌合された遮蔽壁の連結突起が押え金物を介して軌道敷に埋込まれたアンカーボルトに着脱自在に固定可能となっていることを特徴とする請求項２記載の軌道敷緑化装置。
【請求項４】
前記軌道敷植生基盤は軌道が曲率を描くカント区間に設けられ、当該カント区間に設けられる軌道敷植生基盤は、軌道幅を２乃至３等分した幅を有して横並び状に配置される栽培パレットを備え、栽培パレットと軌道敷の間に差し込まれるクサビによってカント区間の傾斜が相殺されて、栽培パレットが水平に保持されることを特徴とする請求項１ないし３のいずれか１項に記載の軌道敷緑化装置。
【請求項５】
レール交換などの線路保守作業時にレール交換機材を支持した状態で前記軌道敷植生基盤に育成されている植栽物上に載置される植物保護具をさらに備え、前記植物保護具は被支持物の荷重を分散させる幅と長さを有した軽量金属板と、軽量金属板の裏面に設けられた複数の凸部と、前記軽量金属板の上面及び前記凸部の下面に貼着された弾性板とによって形成されていることを特徴とする請求項１ないし４のいずれか１項に記載の軌道敷緑化装置。
【発明の詳細な説明】
【技術分野】
【０００１】
本発明は、駅構内を含む軌道敷の緑化及びその保全を行なう装置に関する。
【背景技術】
【０００２】
都市部の駅は多数の乗降客が利用する環境にあるが、緑化が難しいと考えられていた。特に軌道敷は、列車走行面での安全性確保と線路保守に支障を及ぼさない構造で、かつ運行が止まる深夜短時間に施工、保守できるものでなければならないため緑化する事は難しいと考えられてきた。
【０００３】
また、安全面では、植栽が線路間を短絡させないこと（絶縁性）、交換レールが載荷されても植栽基盤が潰れないこと（耐圧性）、油に強いこと（耐油性）、タバコなどの火気に晒されても発火しないこと（耐火性）、列車走行に影響を与えない草丈に抑えられていること（低草性）、植物の葉や茎、ランナーがレールに伸びて支障を及ぼさないこと（線路防護性）、植物の根が道床に支障を及ぼさないこと（道床防護性）が求められていた。
【０００４】
さらに使用面では、施工に際して短時間で植生の設置ができ、かつ線路保守に際し撤去、再設置がしやすいこと（着脱性）、植生の維持管理がしやすいこと（維持管理性）、保守の際の通路が確保できること（保守用通路の確保）、冬枯れなど季節変化に対し強いこと（フルシーズン性）、美観に優れること（美観性）、空気中に水分を蒸散し、周囲の温度を下げること（蒸散性）が求められていた。
【０００５】
またさらに、経済面では、装置の材料費及び施工費用が安いこと（低コスト性）、新たな植生をしなくとも、成長が維持されること（成長性）、大型重機などを使わずに簡単に施工できること（施工性）、レール交換などの線路保守の障害とならないことが求められていた。
【０００６】
従来、路面電車軌道の緑化に関し特許文献１及び特許文献２の発明が開示されていたが、前述の問題を解決する鉄道軌道敷の緑化装置に関する発明はなされていなかった。
【０００７】
本願発明者らによる特許文献３、４には、装置の小型化を図ることのできる水位調節装置及び水位調節可能なプランターが開示されている。しかし、軌道敷を緑化するための様々な課題を満足させるには問題があった。
【０００８】
【特許文献１】特開２００５−４１号公報（第２、３頁、第１図）
【特許文献２】特開２００７−１１１０３０号公報（第２、３頁、第１図）
【特許文献３】特開２００２−３４５３４２号公報（第２、３頁、第１図）
【特許文献４】特開２００６−２７１２０７号公報（第２、３頁、第１図）
【発明の開示】
【発明が解決しようとする課題】
【０００９】
本発明は、前述の問題に鑑みてなされたもので、駅構内を含む軌道敷の安全性を確保し且つ維持管理性に優れ、経済性の高い緑化装置を提供することにより、緑化による環境美化と共にヒートアイランド現象の抑制、防塵、防音効果を発揮させることを課題とする。
【課題を解決するための手段】
【００１０】
本発明の軌道敷緑化装置は、軌道敷へ着脱自在に固定され植栽水平面を形成する軌道敷植生基盤と、
前記軌道敷植生基盤に設けられた給水溝に装着され給水溝の水位の変化を検知して自動的に補水する自動補水器と、
給水パイプを介して複数の自動補水器と接続された貯水タンクと、
貯水タンクの水位を検知して補水する自動補給弁に接続された水道パイプと、
前記軌道敷植生基盤上に載置された保水性を有する不織布からなる栽培マットとを備え、前記軌道敷植生基盤が前記軌道敷上で複数連結されて配置され、植栽物が前記栽培マットに栽培されることを特徴とする。
【００１１】
また、前記軌道敷植生基盤は、絶縁性材料で線路幅内に載置可能な寸法に形成された直方体の栽培パレットと、該栽培パレットの側端に着脱自在に嵌合され栽培パレットの側面に立設された遮蔽壁とから構成され、
該栽培パレットは、前後左右の側面に該栽培パレット同士の連結又は／及び遮蔽壁との連結を行なう連結突起を備え、上面には、前記栽培マットを折曲げ挿入可能な幅と深さを有する複数の給水溝と、複数の給水溝と直交する２本の補水溝と、一方の補水溝の中央に設けた自動補水器収納部を備え、
前記遮蔽壁は、上部が栽培パレット側となる内側に湾曲した壁面部と、該壁面部の下部に設けられ栽培パレットの連結突起と嵌合させる連結突起及び連結凹部と、該壁面部の内側に設けた給水パイプ保持部と、壁面部の長手方向端部に設け隣合う遮蔽壁を連結する凹凸部と、を備えることを特徴とする。
【００１２】
また、前記軌道敷植生基盤は、前記栽培パレット前後の連結突起を嵌合して、線路長手方向に連結して延長可能となっていると共に、栽培パレットの左右の連結突起及びそれに嵌合された遮蔽壁の連結突起が押え金物を介して軌道敷に埋込まれたアンカーボルトに着脱自在に固定可能となっていることを特徴とする。
【００１３】
また、前記軌道敷植生基盤は軌道が曲率を描くカント区間に設けられ、当該カント区間に設けられる軌道敷植生基盤は、軌道幅を２乃至３等分した幅を有して横並び状に配置される栽培パレットを備え、栽培パレットと軌道敷の間に差し込まれるクサビによってカント区間の傾斜が相殺されて、栽培パレットが水平に保持されることを特徴とする。
【００１４】
また、レール交換などの線路保守作業時にレール交換機材を支持した状態で前記軌道敷植生基盤に育成されている植栽物上に載置される植物保護具をさらに備え、前記植物保護具は被支持物の荷重を分散させる幅と長さを有した軽量金属板と、軽量金属板の裏面に設けられた複数の凸部と、前記軽量金属板の上面及び前記凸部の下面に貼着された弾性板とによって形成されていることを特徴とする。
【発明の効果】
【００１５】
本発明の軌道敷緑化装置によれば、短時間で工事施工ができるため、東京駅をはじめとする都心の駅構内軌道敷を緑化することが可能となり、利用者に対し素晴らしい景観を提供することができ、駅の乗降場を癒し空間とすることができる。また、軌道敷からの塵埃の発生を抑止すると共に、緑化面の防音効果により騒音を低減させ、さらに夏季においては植物の蒸散作用による温度低減効果によりヒートアイランド現象を抑制することができる。
【００１６】
また、本発明の軌道敷植生基盤によれば、線路防護性、道床防護性、絶縁性の確保がなされ、土壌不要なため軽量であり人力で取扱えるサイズに分割できることから容易に設置、撤去が可能である。特に、毎日百万人を越える利用者がある大都市鉄道における短時間の保線作業時間内（一日深夜２時間程度）に施工可能で、且つ設置後の保守に支障を来たさない。
【００１７】
さらに、植生の管理で最も重要な潅水を自動的に行なうことができる。このため、リピアなどの適切な種の植生を行なうことで長期間交換することなく葉、花を成長させることができる。またさらに、栽培パレット上には土壌を盛ることなく栽培マット上で栽培が可能であることから、植生の交換は、栽培マット上で予め見ごろまで育成した植栽物を栽培マット単位で容易に行なうことができる。
【発明を実施するための最良の形態】
【００１８】
以下、図面を参照して本発明の軌道敷緑化装置の実施の形態を説明する。
【００１９】
図１は、駅構内に本発明の軌道敷緑化装置を設置した断面図である。
【００２０】
図において１は軌道敷で、この実施の形態では左右の乗降場（ホーム）５の間に二条の軌道が設けられ、レール２とホーム５の間、軌道を構成する２本のレール２の間、隣り合う軌道の間に軌道敷緑化装置を設置した形態を示している。
【００２１】
軌道敷緑化装置は、軌道敷植生基盤１００を軌道の長手方向に並べて連結されており、軌道敷１のバラスト４に埋込み固定されたアンカー６に押え金物７を介して軌道敷１に固定され、通過する列車の風圧にも飛散しないように設置される。
【００２２】
軌道敷植生基盤１００は、栽培パレット１０と、その側面端部に嵌合して立設された遮蔽壁２０と、栽培パレット１０上に装着された栽培マット３０から構成されており、該栽培マット３０上に緑化植物の植栽物９が栽培されている。
【００２３】
二条の軌道の間の軌道敷１には、３基の軌道敷植生基盤１００を横方向に連結し、左右の軌道のレール２に面する栽培パレット１０の側面端部には遮蔽壁２０が嵌合し立設されている。又、横に連結された３基の栽培パレット１０の境目の嵌合部は、軌道敷１のバラスト４に埋込まれたアンカー６で固定されている。
【００２４】
軌道敷植生基盤１００には、乗降場（ホーム）５或いは乗降場（ホーム）５外に設けられた貯水タンク４０から給水パイプ４１（一点鎖線で示す）による給水路が設けられている。
【００２５】
栽培マット３０は、後述する栽培パレット１０の給水溝１１に複数箇所で差込まれてその上に植生された植物に栽培水を補給し、土壌なしで植栽物を育てるものである。なお、根を張らせて栽培された植栽物は図示を省略している。
【００２６】
栽培パレット１０には、給水溝１１の水位の変化を検知して自動的に補水する自動補水器４３が装着される。なお、自動補水器４３は、無動力で水位を検知して間歇的に補水する公知の装置を利用することができる。
【００２７】
また、前記貯水タンク４０には、水道パイプ４２から水位を検知して補水させる自動補給弁（図示せず）を介して常に用水を供給しておく。なお、水道水に代えて雨水を利用しても良い。
【００２８】
図１において、４は軌道敷１の地盤とされているバラスト、３は枕木、２はレール、２ａはレールを枕木に固定するパンドロールを示している。図において左側の軌道は、枕木３と枕木３の間のバラスト４を示す。
【００２９】
軌道敷１に載置される栽培パレット１０とバラスト４の間には、不陸調整用の消音バラスト４ａを敷き、栽培パレット１０を水平に載置する。
【００３０】
次に、軌道敷植生基盤１００の詳細を説明する。図２は軌道敷植生基盤１００の正面図である。
【００３１】
軌道敷植生基盤１００は、絶縁性材料で線路幅内に載置可能な寸法に形成された直方体の栽培パレット１０と、該栽培パレット１０の側端に着脱自在に嵌合され栽培パレット１０の側面に立設された遮蔽壁２０とから構成される。
この実施の形態の栽培パレット１０は、横幅７００ｍｍ、長さ１０００ｍｍ、厚さ５０ｍｍを用いている。
【００３２】
該栽培パレット１０は、前後左右の側面に該栽培パレット１０同士の連結又は／及び遮蔽壁２０との連結を行なう連結突起１２を備える。
【００３３】
連結突起１２は、栽培パレット１０の前後及び左右が互い違いになるようにそれぞれずらして形成し、さらに、基部より先端部が広がる台形として上から嵌合した際に外れない構造とする。
【００３４】
栽培パレット１０の上面には、前記栽培マット３０を折曲げ挿入可能な幅と深さを有する給水溝１１ａと、自動補水器収納部１１ｃが形成されている。なお、栽培パレット１０の上面の詳細な構造については後に図を用いて説明する。
【００３５】
自動補水器収納部１１ｃ（破線表示）には、給水パイプ４１に接続された自動補水器４３が収納されて、植栽物の消費に合わせて給水パイプ４１から自動的に溝内に補水する。
【００３６】
遮蔽壁２０は、上部が栽培パレット１０側となる内側に湾曲した壁面部２４と、該壁面部２４の下部に設けられ栽培パレット１０の連結突起１２と嵌合させる連結突起２１及び連結凹部２２（図４参照）と、該壁面部２４の内側に設けた給水パイプ保持部２３と、壁面部２４の長手方向端部に設け隣合う遮蔽壁を連結する凹凸部２５とを備える。
【００３７】
遮蔽壁２０の高さは、レール２の高さ１８３ｍｍを超えない高さ（この実施の形態では１２０ｍｍ）に形成され、栽培パレット１０上の栽培マット３０で育成された植栽物の茎や、ランナーが内側に湾曲した壁面部２４により規制され軌道のレール方向に伸びることがない。このため線路間の絶縁を短絡させるなどの障害、事故が防止される。
【００３８】
図３は、軌道敷植生基盤１００の平面図である。この図では、栽培パレット１０を１基のみ図示し、その左右に嵌合して立設された遮蔽壁２０Ｌ、２０Ｒをそれぞれ示した。
【００３９】
図示するように、遮蔽壁２０Ｌの壁面部２４は右側に湾曲し、遮蔽壁２０Ｒの壁面部２４は左側に湾曲して、その間の栽培パレット１０上の栽培マット３０に育成された植栽物の茎やランナーは壁面部２４に遮られて線路側に出ない。
【００４０】
遮蔽壁２０（Ｌ、Ｒ）の長さは、軌道の長手方向に連結して敷設される栽培パレット１０の長手寸法（この実施の形態では１０００ｍｍ）より長く形成し、連結された栽培パレット１０に掛け渡された状態に嵌合する。このため、栽培パレット１０の押さえ板として作用し、通過列車の風圧による飛散を防ぐ。なお、図３では遮蔽壁２０の長さ方向を省略して図示している。
【００４１】
次に、栽培パレット１０の上面の構造について説明する。図１の正面図では栽培パレット１０の上部に栽培マット３０が載置されている状態を示したが、図３においては、説明の都合上栽培マット３０を載せる前の平面を示している。
【００４２】
栽培パレット１０の上面には、前記栽培マット３０を折曲げ挿入可能な幅と深さを有する複数の給水溝１１ａと、複数の給水溝１１ａと直交する２本の補水溝１１ｂと、一方の補水溝１１ｂの中央に設けた自動補水器収納部１１ｃが形成されている。
【００４３】
給水溝１１ａ、補水溝１１ｂ、自動補水器収納部１１ｃの溝の深さは同じに形成され、給水溝１１ａに折曲げ挿入された栽培マット３０が、毛管現象を利用し水を吸い上げて植栽物に供給すると、それぞれの溝の水位が下がり、自動補水器収納部１１ｃに収納された自動補水器４３が下がった水位を検知し、給水パイプからの水を補給する。
【００４４】
図４は、軌道敷植生基盤の側面図である。図３と同様に遮蔽壁２０の長さ方向は省略して図示している。
【００４５】
図において、遮蔽壁２０Ｒの長手方向端部には、隣り合う遮蔽壁２０を連結する凹凸部２５（図示は凸部）が形成され、壁面部２４の下部に設けた連結凹部２２に栽培パレット１０の連結突起１２が嵌合され、遮蔽壁２０Ｒの連結突起２１が栽培パレット１０の連結突起１２の間に嵌合されて一体化されている。
【００４６】
このように連結突起１２と、２１が嵌合された状態では、連結突起１２、２１の高さが同じとなる。このため、軌道敷１に固定する場合のアンカー位置、押え金物７配置位置の自由度を有している。
【００４７】
図５は、本発明の軌道敷植生基盤の分解斜視図である。栽培パレット１０の前後が連結突起１２で接続され、遮蔽壁２０Ｌと２０Ｒが左右から嵌めこまれる直前を示す。なお、符号の説明は図２から図４と同様に付し、説明を省略する。
【００４８】
図６は、軌道敷植生基盤の軌道敷への固定状態を説明する図で、（ａ）は正面図、（ｂ）はセメント系充填バラスト部のアンカープラグ、（ｃ）はバラスト部のアンカープラグを示す。
【００４９】
図６（ａ）に示すように、軌道敷植生基盤１００の軌道敷１への固定は、軌道敷植生基盤１００の側端の連結突起１２または／及び２１と軌道敷１の間に押え金物７を掛け渡し、軌道敷１に固定されたアンカー６にナットで押え金物７を固定する。
【００５０】
アンカー６の軌道敷１への固定については、軌道敷１の構造に応じたアンカープラグを予め施工しておく。
【００５１】
図６（ｂ）は、セメント系充填バラストの軌道敷にアンカーを立てる場合を示し、バラスト部に穿孔した孔内のアンカープラグ６ａをモルタル４ｃで固定させる。
【００５２】
図６（ｃ）は、通常のバラスト４による軌道敷の場合を示し、底面に鉄板が溶接されたアンカープラグ６ｂを用い、袋入りバラスト４ｂで底面鉄板を押える工法を用い、短時間でアンカープラグの施工を行う。
【００５３】
図７は、レール間に敷設された軌道敷植生基盤とレールとの相対関係を示す斜視図である。
【００５４】
図においてレール２はパンドロール２ａにより枕木３に固定されている。一方軌道敷植生基盤１００は、枕木３、３の間の軌道敷のバラスト４に予め立設されたアンカー６に押え金物７で固定されている。
【００５５】
図においては、９は栽培マット３０上に植栽された植栽物を示している。その他の符号は前述した図面と同様なので説明を省略する。
【００５６】
図８は、栽培パレットに載置された栽培マットの断面図である。
【００５７】
栽培マット３０は、吸水性と保水性のある繊維をマット状に形成したもので、栽培パレット１０の複数の給水溝１１ａに、折曲げて差込むように挿入し、給水溝１１ａに補水された潅水１３を毛管現象により吸い上げて、マット上に植えられた植栽物９に供給する。
【００５８】
植栽物９は、列車走行に影響を与えない草丈（低草性）で、葉や茎、ランナーがレールに伸びて線路に障害を及ぼさない特性の品種を選択する必要がある。本発明の実施の形態では、クマツヅラ科のリピア（ヒメイワダレソウ）を最適種として選択した。
【００５９】
リピアは、草丈が５ｃｍ程度で低く、肥料や水は少なめでも生育が旺盛で夏の高温に強い、６月上旬から９月にかけてピンクの小花を次々と咲かせる植物である。  また、冬季の寒さにも強い性質がある。
【００６０】
次に、カント区間の軌道敷緑化装置の実施の形態について説明する。
【００６１】
図９は、カント区間の軌道敷緑化装置の断面図である。軌道が曲率を描くカント区間では、線路幅の半分ないし１／３幅に狭く形成された栽培パレット１０を用い、その下部に傾斜を相殺する角度のゴム製クサビ８を差込みそれぞれの栽培パレット１０を建築限界外で水平に載置する。この実施の形態では左右の栽培パレットのレール２に対面する側面に遮蔽壁２０を取付けている。  
【００６２】
次に、レール交換などの線路保守作業において、軌道敷緑化装置が支障となる問題を解決する補助用具について説明する。
【００６３】
図１０は、レール交換機材用の植物保護具の説明図で、（ａ）はレール山越機への装着状態を示し、（ｂ）は植物保護具の正面図、（ｃ）は植物保護具の部分底面図である。
【００６４】
レール山越機６０は、枕木から外され、或いはガス溶断機などで切断はされたレール２を支持する装置で、図１０（ａ）に示すように、植物保護具５０は、敷設された軌道敷緑化装置を撤去することなく、軌道敷緑化装置の上にレール山越機６０を装置しレールの撤去作業を行うための用具である。
【００６５】
なお、レール交換に際しては、レール山越機６０を設置する箇所の栽培パレット１０に嵌合されている遮蔽壁２０（想像線）を取外して作業を行い、作業終了後に元に戻す。
【００６６】
図１０（ｂ）に示すように、植物保護具５０は、軽量金属製で裏面に複数の凸部が形成された本体５１の上面と下面に弾性板として耐火性のある滑り止め難燃性ゴム板５２を貼着したものである。図１０（ｃ）は、その底面の一部を示す。
【００６７】
植物保護具５０は、レール山越機６０の２脚からの荷重を広い平面に分散させ、底面凸部にある植栽物９上で受け止める。このため植栽された植物の全面にダメージを与えることなくレール山越機６０を支持することができる。
【００６８】
植物保護具５０を用いることにより、敷設された軌道敷緑化装置を撤去することなく、レール交換などの線路保守作業を効率よく実施することができる。
【図面の簡単な説明】
【００６９】
【図１】駅構内に本発明の軌道敷緑化装置を設置した断面図である。
【図２】軌道敷植生基盤１００の正面図である。
【図３】軌道敷植生基盤１００の平面図である。
【図４】軌道敷植生基盤の側面図である。
【図５】本発明の軌道敷植生基盤の分解斜視図である。
【図６】軌道敷植生基盤の軌道敷への固定状態を説明する図で、（ａ）は正面図、（ｂ）はセメント系充填バラスト部のアンカープラグ、（ｃ）はバラスト部のアンカープラグを示す。
【図７】レール間に敷設された軌道敷植生基盤とレールとの相対関係を示す斜視図である。
【図８】栽培パレットに載置された栽培マットの断面図である。
【図９】カント区間の軌道敷緑化装置の断面図である。
【図１０】レール交換機材用の植物保護具の説明図で、（ａ）はレール山越機への装着状態を示し、（ｂ）は植物保護具の正面図、（ｃ）は植物保護具の部分底面図である。
【符号の説明】
【００７０】
１    軌道敷
２    レール
２ａ  パンドロール
３    枕木
４    バラスト
４ａ  消音バラスト
４ｂ  袋入りバラスト
４ｃ  モルタル
５    乗降場（ホーム）
６    アンカー
６ａ、６ｂ  アンカープラグ
７    押え金物
８    ゴム製クサビ
９    植栽物
１０    栽培パレット
１１、１１ａ    給水溝
１１ｂ  補水溝
１１ｃ  自動補水器収納部
１２    連結突起
１３    潅水
２０    遮蔽壁
２０Ｌ  遮蔽壁（左）
２０Ｒ  遮蔽壁（右）
２１    連結突起
２２    連結凹部
２３    給水パイプ保持部
２４    壁面部
２５    凹凸部
３０    栽培マット
４０    貯水タンク
４１    給水パイプ
４２    水道パイプ
４３    自動補水器
５０    植物保護具
５１    本体
５２    難燃性ゴム板
６０    レール山越機
１００    軌道敷植生基盤
【図１】
0004997573.tif 000002
【図２】
0004997573.tif 000003
【図３】
0004997573.tif 000004
【図４】
0004997573.tif 000005
【図５】
0004997573.tif 000006
【図６】
0004997573.tif 000007
【図７】
0004997573.tif 000008
【図８】
0004997573.tif 000009
【図９】
0004997573.tif 000010
【図１０】
0004997573.tif 000011